(57)【要約】【課題】  プラグ挿入口８にシャッター１５を備えたソケット型のコネクタにおいて、シャッター１５による防塵機能を損なうこなく、プラグＰの誤挿入を、そのプラグＰがプラグ挿入口８から挿入される前に防止する。【解決手段】  シャッター１５の縁部に、そのシャッター１５がプラグ挿入口８を閉じている時、プラグ挿入口８の縁部との間に部分的に隙間を形成するキー溝３４を設け、プラグＰが正規挿入姿勢でプラグ挿入口８から挿入された時、プラグＰ側の凹状キー８０に嵌合する凸状キー３５を、プラグ挿入口８の縁部からキー溝３４内に張出して設け、シャッター１５の表面に略面一に露出させる凸状キー３５の端面３８によって、プラグＰの正規挿入姿勢以外の姿勢での誤挿入を防止する。【選択図】図６
2005108596.tif 000002
【特許請求の範囲】
【請求項１】
プラグ挿入口にシャッターを備えたソケット型のコネクタにおいて、シャッターの縁部に、そのシャッターがプラグ挿入口を閉じている時、プラグ挿入口の縁部との間に部分的に隙間を形成するキー溝を設け、プラグが正規挿入姿勢でプラグ挿入口から挿入された時、プラグ側の凹状キーに嵌合する凸状キーを、プラグ挿入口の縁部からキー溝内に張出して設け、シャッターの表面に略面一に露出させる凸状キーの端面によって、プラグの正規挿入姿勢以外の姿勢での誤挿入を防止することを特徴とするコネクタ。
【請求項２】
シャッターは、プラグ挿入口を形成するソケットボディに、シャッター軸によって揺動自在に軸支し、シャッター軸を中心にプラグ挿入口を閉じる閉位置とプラグ挿入口を開く開位置との間で揺動すると共に、シャッターとソケットボディとの間に設ける弾性部材によって閉位置に付勢する請求項１に記載のコネクタ。
【請求項３】
シャッターは、プラグが正規挿入姿勢でプラグ挿入口から挿入された時、プラグ側の端子を接触させる端子を配設するソケットボディの端子配設壁面が対向する壁面と、プラグとの間に形成される隙間に、揺動してプラグ挿入口を開く請求項２に記載のコネクタ。
【請求項４】
シャッターは、プラグが正規挿入姿勢でプラグ挿入口から挿入された時、プラグ側の端子を接触させる端子を配設するソケットボディの端子配設壁面が対向する壁面と、プラグとの間に形成される隙間と、略同じ厚みを有する請求項３に記載のコネクタ。
【請求項５】
弾性部材としてねじりコイルバネを設け、そのねじりコイルバネのコイル部をシャッター軸上に嵌合配設して、一端をシャッター内面に当接支持させ、他端をソケットボディの端子配設壁面に対向する壁面に当接支持させ、ソケットボディには、ねじりコイルバネのコイル部に相当する部分に切欠き部を設ける請求項２乃至４の何れか１つに記載のコネクタ。
【請求項６】
弾性部材としてねじりコイルバネを設け、そのねじりコイルバネのコイル部をシャッター軸上で、その軸方向略中央部に嵌合配設して、一端をシャッター内面に当接支持させ、他端をソケットボディの端子配設壁面に対向する壁面に当接支持させ、シャッター軸を挿通させるソケットボディ側の軸受部とシャッター側の軸受部のうち、ねじりコイルバネのコイル部より軸方向外側にシャッター側の軸受部を設け、そのシャッター側の軸受部よりさらに軸方向外側にソケットボディ側の軸受部を設け、シャッター側の軸受部とソケットボディ側の軸受部との間に凸状キーを配設し、その凸状キーを、シャッター軸の軸方向から見てシャッター軸を中心とする円弧を有する扇形に形成し、シャッターの表面に略面一に露出させる凸状キーの端面を、ソケットボディの端子配備壁面に対向する壁面に連設する請求項２乃至５の何れか１つに記載のコネクタ。
【請求項７】
シャッターは、樹脂製のシャッター本体とそのシャッター本体の表面を覆う金属製のシャッターカバーとで構成し、シャッターカバーを、ソケットボディを覆う金属製のフレームに、シャッターが閉位置にある時、部分的に接触させる請求項１又は２に記載のコネクタ。
【請求項８】
シャッターカバーに、シャッター本体の先端左右側部から突出する左右接片部を設け、その左右接片部をフレームに接触係合させて、シャッターを閉位置に支持する請求項７に記載のコネクタ。
【請求項９】
シャッターカバーに、シャッター本体の基端中央部から突出する中央接片部を設け、シャッターが閉位置にある時、中央接片部をフレームに接触係合させる請求項７に記載のコネクタ。
【請求項１０】
シャッターカバーに、請求項８に記載の左右接片部と請求項９に記載の中央接片部の両方を設け、三角形の位置関係に配設される左右及び中央の接片部によってシャッターカバーをフレームに接触係合させて、シャッターを閉位置に支持する請求項７に記載のコネクタ。
【請求項１１】
ソケットボディの端子配設壁面に、シャッターの開閉時、請求項９又は１１に記載の左右接片部を通過させる接片通過溝を、プラグ挿抜方向に設けると共に、その接片通過溝を、フレームによって覆われているプラグ挿入口の縁部を部分的に凹めるように、ソケットボディの端面に開放し、接片通過溝の開放端を閉鎖している部分のフレームに左右接片部を接触係合させて、シャッターを閉位置に支持する請求項７に記載のコネクタ。
【請求項１２】
ソケットボディに、プラグ側の係合突起を係脱自在に係合させる係合部を形成するロック部材を設ける請求項１又は２に記載のコネクタ。
【請求項１３】
ロック部材は金属板片で構成する請求項１２に記載のコネクタ。
【請求項１４】
ロック部材は、ソケットボディの端子配設壁面の両端に、プラグ挿抜方向に沿って立設する側壁の内側に配設し、プラグ側の端子とソケットボディの端子との圧着方向と直交する方向で係合突起を係脱させる請求項１２又は１３に記載のコネクタ。
【発明の詳細な説明】
【技術分野】
【０００１】
本発明は、ソケット型のコネクタに関する。詳しくは、プラグ挿入口にシャッターを備えたソケット型のコネクタ（以下、「ソケット」という。）に関する。
【背景技術】
【０００２】
従来、一対のプラグとソケットの何れか一方に凹状キーを設け、他方に凸状キーを設け、プラグが正規挿入姿勢でソケットに挿入される時、凹状キーと凸状キーが嵌合することによって、プラグがソケットに所定深さまで挿入でき、両者を嵌合状態で結合させる。他方プラグが正規挿入姿勢以外の姿勢でソケットに誤挿入される時、凹状キーを設けたプラグ又はソケットのその凹状キー以外の端面と凸状キーとを干渉させることによって、プラグの正規挿入姿勢以外での誤挿入を防止することは周知である。
【０００３】
また、プラグとソケットの何れか一方に係合突起を設け、他方にその係合突起を係脱自在に係合させる係合部を設け、プラグが正規挿入姿勢でソケットに所定深さまで挿入された時、係合突起を係合部に係合させ、プラグの抜止めを行い、両者を嵌合状態で結合することも周知である。
【０００４】
さらに、プラグ挿入口に防塵用のシャッターを備えたソケットも周知である。そのシャッターには、スライド式と揺動式があり、スライド式シャッターは、ソケットボディ内にプラグ挿抜方向にスライド自在に支持され、コイルバネによって閉位置に付勢される一方、揺動式シャッターは、ソケットボディ内にシャッター軸を介して揺動自在に軸支され、ねじりコイルバネによって閉位置に付勢される。
【０００５】
そして、スライド式や揺動式のシャッターを、樹脂製のシャッター本体とそのシャッター本体の表面を覆う金属製のシャッターカバーとで構成し、そのシャッターが閉位置にある時、シャッターカバーを、ソケットボディを覆う金属製のフレームに接触係合させ、静電破壊を防止する技術もあった（例えば、特許文献１及び２参照。）。
【特許文献１】特開２００３−３６９２１号公報
【特許文献２】実開平６−７７１７５号公報
【発明の開示】
【発明が解決しようとする課題】
【０００６】
従来のソケットでは、シャッターを備えた場合、そのシャッターより奥側にプラグ誤挿入防止用の一対の凸状キーと凹状キーの一方を設けるため、誤挿入防止機能は、プラグがプラグ挿入口からある程度ソケットボディに挿入された後でないと発揮されず、プラグ誤挿入時にも、シャッターを無駄に開閉させたり、プラグ側の端子とソケット側の端子とを無駄に接触させる点が問題である。
【課題を解決するための手段】
【０００７】
本発明は、プラグ挿入口にシャッターを備えたソケットにおいて、シャッターによる防塵機能を損なうこなく、プラグの誤挿入を、そのプラグがプラグ挿入口から挿入される前に防止するため、シャッターの縁部に、そのシャッターがプラグ挿入口を閉じている時、プラグ挿入口の縁部との間に部分的に隙間を形成するキー溝を設け、プラグが正規挿入姿勢でプラグ挿入口から挿入された時、プラグ側の凹状キーに嵌合する凸状キーを、プラグ挿入口の縁部からキー溝内に張出して設け、シャッターの表面に略面一に露出させる凸状キーの端面によって、プラグの正規挿入姿勢以外の姿勢での誤挿入を防止することを特徴とする。
【０００８】
本発明のソケットには以下の構成を付加することが望ましい。
まず、シャッターは、プラグ挿入口を形成するソケットボディに、シャッター軸によって揺動自在に軸支し、シャッター軸を中心にプラグ挿入口を閉じる閉位置とプラグ挿入口を開く開位置との間で揺動すると共に、シャッターとソケットボディとの間に設ける弾性部材によって閉位置に付勢し、シャッターを揺動式に構成する。
揺動式シャッターはスライド式シャッターに比べて、プラグ抜去後の閉位置への復帰動作に対する信頼性が高く、シャッターによる防塵機能を確実に発揮できる。
また、シャッターは、プラグが正規挿入姿勢でプラグ挿入口から挿入された時、プラグ側の端子を接触させる端子を配設するソケットボディの端子配設壁面が対向する壁面と、プラグとの間に形成される隙間に、揺動してプラグ挿入口を開く。これによって、プラグ挿入時、その初期においてシャッターが開位置に揺動してプラグに乗上げるため、これ以降のプラグ挿入からプラグ抜去まで、シャッターがプラグを抜去方向に押すことはなく、またプラグの必要抜止め力も小さくできることも手伝って、プラグ挿入力の低減を図る。しかも、プラグ挿入時、シャッターがプラグを、プラグ側の端子とソケット側の端子を圧着させる方向に押すため、両端子の接触信頼性も高める。
さらに、シャッターは、プラグが正規挿入姿勢でプラグ挿入口から挿入された時、プラグ側の端子を接触させる端子を配設するソケットボディの端子配設壁面が対向する壁面と、プラグとの間に形成される隙間と、略同じ厚みを有する。これによって、プラグ挿入時、そのプラグに乗上げて開位置に揺動したシャッターが、ソケットボディの端子配備壁面からのプラグの浮上がりを防ぐため、プラグ側の端子とソケット側の端子の接触信頼性を高める。
また、弾性部材としてねじりコイルバネを設け、そのねじりコイルバネのコイル部をシャッター軸上に嵌合配設して、一端をシャッター内面に当接支持させ、他端をソケットボディの端子配設壁面に対向する壁面に当接支持させ、ソケットボディには、ねじりコイルバネのコイル部に相当する部分に切欠きを設ける。これによって、シャッター軸をソケットボディの角部に近づけて配設しても、そのシャッター軸上に嵌合配設するねじりコイルバネのコイル部とソケットボディとの接触を、切欠き部によって防ぐため、ソケットの大きさを損なわずに、シャッターの動作性を高める。
また、弾性部材としてねじりコイルバネを設け、そのねじりコイルバネのコイル部をシャッター軸上で、その軸方向略中央部に嵌合配設して、一端をシャッター内面に当接支持させ、他端をソケットボディの端子配設壁面に対向する壁面に当接支持させ、シャッター軸を挿通させるソケットボディ側の軸受部とシャッター側の軸受部のうち、ねじりコイルバネのコイル部より軸方向外側にシャッター側の軸受部を設け、そのシャッター側の軸受部よりさらに軸方向外側にソケットボディ側の軸受部を設け、シャッター側の軸受部とソケットボディ側の軸受部との間に凸状キーを配設し、その凸状キーを、シャッター軸の軸方向から見てシャッター軸を中心とする円弧を有する扇形に形成し、シャッターの表面に略面一に露出させる凸状キーの端面を、ソケットボディの端子配備壁面に対向する壁面に連設する。これによって、凸状キーが、シャッターが閉位置と開位置の間を揺動する時のガイドレールの役目を果たすため、構造を簡潔にしながら、シャッターの動作性を高める。
【０００９】
次に、シャッターは、樹脂製のシャッター本体とそのシャッター本体の表面を覆う金属製のシャッターカバーとで構成し、シャッターカバーを、ソケットボディを覆う金属製のフレームに、シャッターが閉位置にある時、部分的に接触させ、静電破壊防止機能を備えたシャッターに構成する。
また、シャッターカバーに、シャッター本体の先端左右側部から突出する左右接片部を設け、その左右接片部をフレームに接触係合させて、シャッターを閉位置に支持する。これによって、左右接片部が、シャッター閉動時のストッパーの役目を果たすため、構造を簡潔にできる。
また、シャッターカバーに、シャッター本体の基端中央部から突出する中央接片部を設け、シャッターが閉位置にある時、中央接片部をフレームに接触係合させる。これによっても、中央接片部が、シャッター閉動時のストッパーの役目を果たすため、構造を簡潔にできる。
さらに、シャッターカバーに、左右接片部と中央接片部の両方を設け、三角形の位置関係に配設される左右及び中央の接片部によってシャッターカバーをフレームに接触係合させて、シャッターを閉位置に支持する。これによって、シャッターを閉位置に付勢する弾性部材としてねじりコイルバネを備え、シャッターの中央部にバネ力を付勢し難い場合でも、左右接片部及び中央接片部の三点支持にてシャッターを閉位置に安定支持できる。
またさらに、ソケットボディの端子配設壁面に、シャッターの開閉時、左右接片部を通過させる接片通過溝を、プラグ挿抜方向に設けると共に、その接片通過溝を、フレームによって覆われているプラグ挿入口の縁部を部分的に凹めるように、ソケットボディの端面に開放し、接片通過溝の開放端を閉鎖している部分のフレームに左右接片部を接触係合させて、シャッターを閉位置に支持する。これによって、左右接片部に対する接触係合部の周りのフレーム裏面をソケットボディの端面に接合させているため、その接触係合部が挿入プラグとの干渉等によって傾くのを防ぎ、シャッターを一定の閉位置及び閉姿勢で支持できる。
【００１０】
次に、ソケットボディに、プラグ側の係合突起を係脱自在に係合させる係合部を形成するロック部材を設け、プラグ挿入時、プラグの抜止めを行い、両者を嵌合状態で結合させる。
また、ロック部材は金属板片で構成する。これによって、プラグ側の係合突起を金属製板バネの自由端部に形成した場合でも、その係合突起に対する係合部を樹脂によって形成するのに対し、耐磨耗性を向上できる。
さらに、ロック部材は、ソケットボディの端子配設壁面の両端に、プラグ挿抜方向に沿って立設する側壁の内側に配設し、プラグ側の端子とソケットボディの端子との圧着方向と直交する方向で係合突起を係脱させる。これによって、プラグ側の係合突起を板バネの自由端部に形成した場合でも、係合部との係合によってプラグ側の端子とソケット側の端子の圧着が弱められるのを防ぐため、両端子の接触信頼性を高める。またロック部材が、ソケットボディに金属製の側壁を構成し、シャッター軸が、ソケットボディの側壁の間に金属製の梁を構成するため、ソケットボディの薄肉化による小型化を図る。
【発明の効果】
【００１１】
本発明によれば、プラグ挿入口にシャッターを備えたソケットにおいて、シャッターによる防塵機能を損なうこなく、プラグの誤挿入を、そのプラグがプラグ挿入口から挿入される前に防止できるため、プラグ誤挿入時に、シャッターを無駄に開閉させたり、プラグ側の端子とソケット側の端子とを無駄に接触させるのを防止できる。という顕著な効果を奏する。
【発明を実施するための最良の形態】
【００１２】
本発明の実施形態を図面に基づいて説明する。図１乃至図５は一対のソケット（ソケット型のコネクタ）とプラグ（プラグ型のコネクタ）の嵌合状態を示し、図６乃至図１０はソケットの組立状態を示し、図１１はソケットの分解状態を示し、図１２乃至図２６はソケットの構成要素を示し、図２７乃至図３０はプラグの組立状態を示し、図３１はプラグの分解状態を示し、図３２乃至図４４はプラグの構成要素を示す。
これらの図に示す本実施形態のソケットＳとプラグＰの概略を説明すると、このソケットＳとプラグＰは、一対で使用する多極コネクタの雌側コネクタと雄側コネクタであり、例えば、同じ電子機器内に配設される２枚のプリント配線基板同士を電気的に接続する時に使用する。即ち、一方の基板にソケットＳが実装され、このソケットＳに設けられた複数の端子が実装基板に電気的に接続され、また他方の基板にプラグＰが実装され、このプラグＰに設けられた複数の端子が実装基板に電気的に接続される。このように、電気的に接続しようとする一方の基板に実装されたソケットＳにこのプラグ挿入口から、他方の基板に実装されたプラグＰの挿入部を挿入することによって、これらソケットＳとプラグＰは、ソケットＳ側の各固定端子にプラグＰの挿入部に配設された各端子可動接点を接触させた嵌合状態で結合して、ソケットＳ側の各端子とプラグＰ側の各端子とを電気的に接続し、かつ  その接続状態を維持する。これによって、ソケットＳの実装基板とプラグＰの実装基板とを電気的に接続し、かつ、その接続状態を維持する。
また、上記基本機能に付加して、ソケットＳには静電対策が施され、ソケットＳとプラグＰの間にはロック機構や誤挿入防止機構が構成され、さらにはソケットＳとプラグＰのそれぞれに防塵用のシャッター機構が備えられる。
【００１３】
以下、上記のソケットＳとプラグＰの詳細を説明する。
まず、ソケットＳについて説明する。
ソケットＳは、複数本（本実施形態では、１５本。）の接触端子（コンタクト）１と、防塵用のシャッター機構２と、プラグＰ側のロック部材とでロック機構を構成するソケットＳ側のロック部材である左右のロック端子３とを組付ける樹脂製のソケットボディ４と、このソケットボディ４を覆う金属製のカバーであるシールドフレーム５とで構成される。
【００１４】
ソケットボディ４は、横長の直方形状に形成され、ソケットボディ４の裏面（底面）にソケットＳの実装基板に対する位置決めピン６を２本突出形成し、ソケットボディ４の左右側面にシールドフレーム５に対する係合突起７を突出形成する。またソケットボディ４の前側面に横長矩形状のプラグ挿入口８を開口形成し、ソケットボディ４は、そのプラグ挿入口８に連通するプラグ挿入空間９を内部に形成する。
プラグ挿入空間９の底壁面となるソケットボディ４の底壁内面には、前端から後端にわたって前後方向（プラグＰ挿抜方向）に接触端子１の横幅に相当する幅狭の端子取付け溝１０を形成する。端子取付け溝１０は、接触端子１と同数左右横方向に並列に形成すると共に、後端をそれぞれ端子挿入孔１１を介してソケットボディ４の後面に開放する。
そして、各接触端子１は、導電性に優れた幅狭の金属板材で構成され、表裏面が上下に向く横姿勢で使用されるもので、ソケットボディ４の後方から端子挿入孔１１を介して各端子取付け溝１０の底部に後端部を除いて圧入固定され、プラグ挿入空間９に露出する各接触端子１の表面（上面）によって、ソケットボディ４の底壁内面には、プラグＰの各接触端子５１の可動接点部５１ｄに対する固定接触部が形成される。またソケットボディ４の後側面から突出する各接触端子１の後端部は、この裏面（下面）がソケットボディ４の裏面と面一になるように折曲げられ、各接触端子１の後端部裏面よって、ソケットＳの実装基板に対する接触部が形成される。
【００１５】
また、プラグ挿入空間９の左右側壁面となるソケットボディ４の左右側壁内面下部には、前端から後端にわたって幅広の側溝１２を形成すると共に、左右の側溝１２の上下の溝壁には薄い端子取付溝１３を対向形成し、側溝１２及び端子取付け溝１３の後端をそれぞれソケットボディ４の後面に開放する。
そして、左右のロック端子３は矩形の金属板材で構成され、表裏面が左右に向く縦姿勢で使用されるもので、前部に矩形の係合孔１４を開口形成する。左右のロック端子３は、ソケットボディ４の後方から上下側縁を各端子取付溝１０に圧入し、側溝１２を塞ぐように、ソケットボディ４の左右側壁内面下部に対向状に固定され、プラグ挿入空間９に露出する左右のロック端子３の表面によって、ソケットボディ４の左右側壁内面下部には、前端から後端にわたってプラグ側のロック部材の係合突起を摺接させる金属製の側壁面が対向形成され、金属製の側壁面の裏側には、係合孔１４を介してプラグ挿入空間９に連通する薄い隙間が形成され、係合孔１４によって、金属製の側壁面の前部に、プラグＰ側のロック部材の係合突起を係脱自在に係合させる係合部が形成される。
【００１６】
シャッター機構２は、プラグ挿入口８を覆うシャッター１５と、シャッター１５をソケットボディ４に揺動自在に軸支するシャッター軸１６と、シャッター１５を閉位置に付勢する弾性部材として備えるねじりコイルばね１７とで構成される。
また、シャッター１５は、樹脂製のシャッター本体１８と、シャッター本体１８の表面を覆う金属製のシャッターカバー１９とで構成される。
【００１７】
シャッター本体１８は、左右側部の高さをその間の中間部の高さより一段低く形成した横長の凸形状で、比較的肉厚の板状に形成される。シャッター本体１８の高背部の上面左右側部から上方に断面逆Ｕ字形状の軸受部２０を突出形成すると共に、左右の軸受部２０の先端部（上端部）にシャッター軸１６を水平方向に挿通させる軸孔２１を形成する。またシャッター本体１８の低背部の上面外側端部から上方に断面逆Ｕ字形状で、シャッター本体１８の高背部より低いカバー掛止部２２を突出形成すると共に、左右のカバー掛止部２２の裏面側となるシャッター本体１８の低背部の裏面に、シャッターカバー１９に対する左右の係合突起２３を突出形成する。さらに左右の軸受部２０の間のシャッター本体１８の高背部の裏面に、所定の間隔を設けて左右のバネ係止溝２４を形成する。
【００１８】
シャッターカバー１９は、導電性に優れた金属板材を打抜き及び曲げ加工して形成され、シャッター本体１８に対応して、左右側部の高さをその間の中間部の高さより一段低く形成した横長の凸形状で、薄肉の板状に形成される。シャッターカバー１９の低背部の外側端部に、シャッター本体１８の低背部の外側端部表面から裏面側にカバー掛止部２２に沿って回込ませる断面逆Ｕ字形の掛止部２５を形成すると共に、左右の掛止部２５の裏片部にシャッター本体１８の係合突起２３を係脱自在に係合させる係合孔２６を形成する。
そして、シャッターカバー１９の掛止部２５をシャッター本体１８のカバー掛止部２２に上方から嵌合させ、シャッター本体１８の係合突起２３をシャッターカバー１９の係合孔２６に係合させることによって、シャッターカバー１９をシャッター本体１８の表面側に固定し、金属製のシャッターカバー１９によって樹脂製のシャッター本体１８の左右側部の低背部表面及びその間の高背部の表面が連続的に覆われたシャッター１５を形成する。
【００１９】
シャッターカバー１９には、シャッター本体１８の左右側端部から下方に突出する左右の接片部２７を一体形成すると共に、シャッター本体１８の左右の軸受部２０の間を覆うように、シャッター本体１８の中央部から上方に突出する中央接片部２８を一体形成する。
【００２０】
プラグ挿入空間９の底壁面となるソケットボディ４の底壁内面（ソケットボディ４の接触端子１の配設壁面）と対向するプラグ挿入空間９の天壁面となるソケットボディ４の天壁内面の前端左右側部から下向きに軸受部２９を突出形成すると共に、左右の軸受部２９にシャッター軸１６を水平方向に挿通させる軸孔３０を形成し、軸孔３０をソケットボディ４の左右側面に貫通させる。またソケットボディ４の天壁の前端中央部には、ねじりコイルバネ１７のコイル部のバネ長より少し長い横幅を有し、そのコイル部のねじり状態の直径より少し長い深さを有する切欠き部３１を形成する。
【００２１】
そして、上記シャッター１５と、ソケットボディ４の横幅と略同じ軸長を有するシャッター軸１６と、ねじりコイルバネ１７とによって、ソケットボディ４の前端部に揺動式のシャッター機構２を構成する。
即ち、シャッター１５を、ソケットボディ４のプラグ挿入口８の内側に、このプラグ挿入口８を閉じる垂直姿勢で立設保持し、またシャッター１５の左右の軸受部２０の間で、上面が切欠き部３１によってソケットボディ４の上外側に開放された空間に、ねじりコイルバネ１７のコイル部を嵌込み、ねじりコイルバネ１７の一端をシャッター１５の裏面（シャッター本体１８の裏面）の左右何れか一側（本実施形態では右側）のバネ係止溝２４の溝底に当接支持させ、他端をソケットボディ４の天壁内面に当接支持させた上に、シャッター１５の左右の軸受部２０の各軸孔２１と、ソケットボディ４の左右の軸受部２９の各軸孔３０と、ねじりコイルバネ１７のコイル部とを、同一軸芯上に配置する。この状態でシャッター軸１６を、ソケットボディ４の左右何れか一側（本実施形態では右側）の横外方から、まずソケットボディ４の一側（本実施形態では右側）の軸受部２９の軸孔３０、次いでシャッター１５側の一側（本実施形態では右側）の軸受部２０の軸孔２１、次いでねじりコイルバネ１７のコイル部の内孔、次いでシャッター１５の他側（本実施形態では左側）の軸受部２０の軸孔２１、最後にソケットボディ４の他側（本実施形態では左側）の軸受部２９の軸孔３０に挿通させ、ソケットボディ４の前端部に揺動式のシャッター機構２を組付ける。
【００２２】
これによって、ソケットボディ４の前上角部にシャッター軸１６が左右の軸受部２９を介して水平に横架支持され、シャッター軸１６にシャッター１５が左右の軸受部２０を介して揺動自在に支持される。したがって、シャッター１５が、ソケットボディ４の前端部にシャッター軸１６を介して揺動自在に軸支される。即ち、揺動式シャッターに構成される。
このシャッター１５は、ソケットボディ４のプラグ挿入口８を開口形成する前側面に表面（シャッターカバー１９の表面）が沿う垂直姿勢、即ち、プラグ挿入口８を閉じる閉位置（閉姿勢）と、ソケットボディ４の接触端子１の配設壁面と対向するソケットボディ４の天壁内面に沿う水平姿勢、即ち、プラグ挿入口８を開く開位置（開姿勢）との間で、シャッター軸１６を中心に揺動する。内開き構造に構成される。またシャッター１５は、このシャッター１５とソケットボディ４との間に配設する弾性部材として備えたねじりコイルバネ１７によって、閉位置（閉方向）に常時付勢される。
【００２３】
シャッター１５の厚み（シャッター本体１８の厚みにシャッターカバー１９の厚みを加えた厚み）は、この中央部の高背部が最も厚く、この最大厚みを、プラグＰの挿入部がソケットボディ４のプラグ挿入口８からプラグ挿入空間９に挿入された時、ソケットボディ４の天壁面とプラグＰの挿入部との間に形成される隙間と、略同じ寸法に形成する。
【００２４】
ところで、ソケットボディ４のプラグ挿入口８の周囲前側面は、プラグ挿入口８の下縁中間部を占める接触端子１群の配設幅を除いて、後述するシールドフレーム５によって覆われるもので、左右最外側の接触端子取付溝１０より所定寸法さらに外側のソケットボディ４の底壁内面には、シャッター１５の開閉時、シャッターカバー１９の左右の接片部２７を通過させる接片通過溝３２を前後方向に形成する。左右の接片通過溝３２の前端は、シールドフレーム５によって覆られているソケットボディ４の前側面に開放し、接触端子１群の配設幅より所定寸法さらに外側となるプラグ挿入口８の下縁左右端部を、左右の接片通過溝３２によって部分的に凹め、接片通過溝３２の開放前端をシールドフレーム５によって閉鎖し、接片通過溝３２の開放前端を閉鎖している部分のシールドフレーム５によって、シャッターカバー１９の左右の接片部２７を内側から接触係合させる接触部３３を形成し、ソケットＳにこのプラグ挿入口８からプラグＰの挿入部を挿入していない時、シャッターカバー１９の左右の接触片部２７とシールドフレーム５の左右の接触部３３との接触係合によって、シャッターカバー１９とシールドフレーム５とを電気的に接続させた状態で、シャッター１５を閉位置に位置保持する。
またシャッターカバー１９の左右の接片部２７とシールドフレーム５の左右の接触部３３との接触係合と同時に、シャッターカバー１９の中央接触片部２８もシールドフレーム５に接触係合させる。
そして、シャッターカバー１９の縁部で三角形の位置関係に配設される左右及び中央の接片部２７，２８によって、シャッターカバー１９をシールドフレーム５に接触係合させ、シャッターカバー１９とシールドフレーム５とを三点接触で電気的に接続させた状態で、シャッター１５を三点支持にて閉位置に位置保持する。
【００２５】
さらに、ねじりコイルバネ１７のコイル部はシャッター軸１６上で、その軸方向略中央部に嵌合配設して、一端をシャッター１５内面に当接支持させ、他端をソケットボディ４の端子配設壁面に対向する壁面に当接支持させ、シャッター軸１６を挿通させるソケットボディ４側の軸受部２９とシャッター１５側の軸受部２０のうち、ねじりコイルバネ１７のコイル部より軸方向外側にシャッター１５側の軸受部２０を設け、そのシャッター１５側の軸受部２０よりさらに軸方向外側にソケットボディ４側の軸受部２９を設けており、このシャッター１５側の軸受部２０とソケットボディ４側の軸受部２９との間に相当するシャッター１５の縁部にはキー溝３４を、またプラグ挿入口８の縁部にはプラグＰ側の凹状キーとで誤挿入防止機構を構成するソケットＳ側の凸状キー３５を設ける。
【００２６】
キー溝３４は、シャッター本体１８の高背部と低背部のカバー掛止部２２との間の凹み部３６と、シャッターカバー１９の高背部と低背部の掛止部２５との間の凹み部３７とによって、シャッター１５の上面左右側部に形成され、シャッター１５がプラグ挿入口８を閉じている時、プラグ挿入口８の縁部との間に部分的に隙間を形成する。他方凸状キー３５は、ソケットボディ４の天壁内面の前端から左右の軸受部２９の内側にて下向きに突出形成され、シャッター１５の左右のキー溝３４に嵌合する。これによって、シャッター１５の表面（シャッターカバー１９の表面）に凸状キー３５の前端面を略面一に露出することができ、この凸状キー３５の前端面によって、プラグＰの誤挿入防止用の係合面３８を形成する。
【００２７】
また、凸状キー３５は、シャッター軸１６の軸方向から見て、シャッター軸１６を中心とする円弧を有する扇形に形成し、シャッター１５の表面に略面一に露出する係合面３８（前端面）を、ソケットボディ４の天壁内面に連設する。これによって、シャッター１５を、凸状キー３５の円弧状端面３９に沿って、シャッター軸１６を中心に閉位置と開位置で揺動させる。
ソケットボディ４の左右の軸受部２９の各軸孔３０は、凸状キー３５を貫通してこの内側面に開口される。
【００２８】
シールドフレーム５は、導電性に優れた金属板材を打抜き及び曲げ加工して形成され、ソケットボディ４の天面を覆う天板部４０と、ソケットボディ４の左右側面を覆う左右の側板４１と、ソケットボディ４のプラグ挿入口８の周囲前側面を、プラグ挿入口８の下縁中間部を占める接触端子１群の配設幅を除いて覆う、開放部を下方に向けたＣ形の前枠部４２と、天板部４０の後側縁左右端部から下向きに突出形成し、ソケットボディ４の後側面左右上角部に形成した左右の係合溝４３に係合させる係合片４４と、左右の側板４１の下縁から外側に水平に突出形成する左右の足部４５とを設ける。また左右の側板４１には、ソケットボディ４の係合突起７を係脱自在に係合させる係合孔４６を開口形成する。さらにソケットＳの実装基板に対する取付け部を構成する左右の足部４５は、この裏面（下面）がソケットボディ４の裏面と面一になるように、左右の側板４１の下縁から外側に水平に突出形成されると共に、中央部に円形の貫通孔４７を開口形成する。
【００２９】
そして、上記のように複数本の接触端子１と、防塵用のシャッター機構２と、左右のロック端子３とを組付けた樹脂製のソケットボディ４の上方からこの外面にシールドフレーム５を被せると共に、係合突起７及び係合孔４６の係合によってソケットボディ４にシールドフレーム５を着脱自在に固定する。これによって、ソケットＳが製品状態に組立てられ、このソケットＳは、プラグ挿入口８に揺動式のシャッター１５を備えたシャッター付きとなる。シャッター付きのソケットＳは、プラグＰの挿入部がソケットボディ４のプラグ挿入口８からプラグ挿入空間９に挿入されていない時、プラグ挿入口８をシャッター１５によって閉じており、ソケットボディ４のプラグ挿入口８からプラグ挿入空間９に塵埃が侵入するのを防ぎ、プラグ挿入空間９の底壁面に配設される各接触端子１１に対する塵埃の付着による接触不良や短絡を未然に防止する。防塵機能を発揮する。
【００３０】
また、製品状態のソケットＳは、この実装基板の表面所定位置に位置決めピン６を介してソケットボディ４の裏面を接合させ、ソケットボディ４の後部外側に突出する各接触端子１１の後端部を、基板の端子接触パターンに半田固定し、ソケットＳの各接触端子１１を基板の端子接触パターンに電気的に接続させると共に、シールドフレーム５の左右の足部４５を基板のグランドパターンにかしめ部材や締結部材によって圧着固定し、シールドフレーム５を基板のグランドパターンに電気的に接続させた状態で、基板に実装する。シールドフレーム５を備えたソケットＳ、さらにはプラグ挿入口８を閉じている時、シールドフレーム５に電気的に接続される金属製のシャッターカバー１９を有するシャッター１５を備えるソケットＳは、プラグＰの挿入時等の静電気を直接シールドフレーム５を通じて、又は、シャッターカバー１９からシールドフレーム５を通じて、基板のグランドパターへ逃がし、静電破壊等を防止する。静電対策機能を発揮する。
尚、シャッター本体１８とシャッターカバー１９とを金属製の一体構造とすることによっても、同様の静電機能を発揮することができる。
【００３１】
次にプラグＰについて説明する。
プラグＰは、複数本（本実施形態では１５本）の接触端子（コンタクト）５１と、防塵用のシャッター機構５２と、ソケットＳ側のロック部材である左右のロック端子３とでロック機構を構成するプラグＰ側のロック部材である左右のロックバネ５３とを組付ける矩形板状の樹脂製のプラグボディ５４と、プラグボディ４の後半部に一体形成する下ケース５５とで前側面を開口した直方形状のケース５６を形成するための樹脂製の上ケース５７と、ケース５６を覆う金属製のカバーで、ソケットＳのシールドフレーム５と同様に、プラグＰの実装基板に対する取付け部を構成する左右の足部を設けるシールドフレーム（図示省略）とで構成される。
【００３２】
プラグボディ５４は、この後半部の左右側部を除く接触端子５１の配設幅に相当する中間部に凸部５８を形成し、プラグボディ５４の凸部５８の部分の高さ（厚み）を他の部分の高さ（厚み）より高く（厚く）形成する。またプラグボディ５４の後端には、左右側部をプラグボディ５４の左右両外側に所定寸法均等に張出す比較的厚肉の横長矩形板状のケース後側壁５９を一体形成し、ケース後側壁５９の左右両端からプラグボディ５４の後半部の左右両外側に薄肉の左右のケース内側板６０を一体延出すると共に、左右のケース内側板６０とプラグボディ５４との隙間の後半部底面を閉じる薄肉の左右のケース底板６１を一体形成する。ケース後側壁５９と左右のケース内側板６０をプラグボディ５４の裏面（底面）と面一の平面上から立上げると共に、左右のケース底板６１の裏面をプラグボディ５４の裏面と面一に連続形成し、ケース後側壁５９と左右のケース内側板６０の高さをプラグボディ５４の凸部５８の高さより所定寸法高く形成する。これらケース後側壁５９と左右のケース内側板６０と左右のケース底板６１並びにプラグボディ５４の後半部裏面とで、プラグボディ５４の後半部を後側方及び左右側方から囲う下ケース５５を一体形成する。
【００３３】
また、プラグボディ５４の裏面にプラグＰの実装基板に対する位置決めピン６２を２本突出形成し、左右のケース内側板６０の外側面に上ケース５７に対する係合突起６３を突出形成する。プラグボディ５４の表面（上面）には、後端から前端近傍にわたって前後方向に（プラグＰ挿抜方向）に接触端子５１の厚みに相当する薄い端子取付け溝６４を形成する。端子取付け溝６４は、接触端子５１と同数左右横方向に並列に形成すると共に、後端をそれぞれ端子取付け溝６４と同じ薄い端子挿入孔６５を介してケース後側壁５９を貫通させ、プラグボディ５４の後面に開放する。
【００３４】
各接触端子５１は、導電性に優れた金属板材で構成され、表裏面が左右に向く縦姿勢で使用されるもので、基部５１ａと、基部５１ａの上部から前方に一体延出する接片アーム５１ｂと、接片アーム５１ｂの中間部に形成するＳ字形の曲げ部５１ｃと、曲げ部５１ｃより前部の上下に弾性変位自在な接片アーム５１ｂの先端部（自由端部）に上向きに突出形成する山形の可動接点部５１ｄと、基部５１ａの下部から後方に一体延出する固定接点部５１ｅとを有する。そして、各接触端子５１は、プラグボディ５４の後方から端子挿入孔６５を介して各端子取付け溝６４に挿込まれ、基部５１ａが端子挿入孔６５に嵌合固定されてプラグボディ５４に固定され、固定接点部５１ｅがプラグボディ５４の後面から突出され、接片アーム５１ｂの後部と中間部の曲げ部５１ｃとがプラグボディ６４の凸部５８に形成された各端子取付け溝６４の後部に挿入され、接片アーム５１ｂの前部が各端子取付け溝６４の前部に挿入され、可動接点部５１ｄが各端子取付け溝６４の前端部からプラグボディ６４の前端部表面に退入自在に突出される。プラグボディ５４の後面から突出する各固定接点部５１ｅは、下端面がプラグボディ５４の裏面と面一になり、各固定接点部５１ｅの下端面によって、プラグＰの実装基板に対する接触部が形成される。他方プラグボディ６４の前端部表面に退入自在に露出する各可動接点部５１ｄによって、ソケットＳの各接触端子１によって形成される固定接触部に対する可動接点部が形成される。
【００３５】
また、複数本一組の接触端子５１のうち、一部の接触端子（本実施形態では左右最外側の接触端子２本と、その直ぐ内側の接触端子２本、合計４本の接触端子）５１について、その接片アーム５１ｂの長さを他の接触端子５１の長さと異ならせ（本実施形態では長くする。）、その可動接点部５１ｄの位置を他の接触端子５１の可動接点部５１ｄと異ならせる（本実施形態では前側に出す。）。
【００３６】
上ケース５７は、下ケース５５の天面を覆う薄肉のケース天板６６と、下ケース５５の左右のケース内側板６０を覆う薄肉の左右のケース外側板６７と、下ケース５５のケース後側壁５９を覆うケース後側板６８とを設ける。ケース天板６６には、前後方向に平行な２本の補強リブ６９を突出形成すると共に、左右側部にシャッターのスライド範囲を規制する前後方向に長い矩形状の係合孔７０を開口形成する。左右のケース外側板６７には、上下方向に平行な２本の補強リブ７１を突出形成すると共に、下ケース５５の係合突起６３を係脱自在に係合させる係合孔７２を開口形成する。ケース後側板６８には、下縁の左右側部を除く接触端子５１の配設幅に相当する中間部を上側に凹ませる切欠き部７４を形成し、切欠き部７４の内側から各接触端子５１の固定接点部５１ｅをプラグボディ５４の後面に突出させる。
【００３７】
そして、上ケース５７を下ケース５５に上方から被せ、係合突起６３及び係合孔７２の係合によって下ケース５５に上ケース５７を着脱自在に固定し、下ケース５５と上ケース５７とで前側面を開口した直方形状のケース５６をプラグボディ５４の後半部に形成し、このケース５６によってプラグボディ５４の後半部を包囲し、ケース５６の内側底部にプラグボディ５４の後半部を内装し、プラグボディ５４の左右及び上部に形成されるケース５６との隙間によって、シャッター収容空間７５を形成する。他方ケース５６の内側底部から前方に突出し、その前端部表面に各接触端子５１の可動接点部５１ｄが退入自在に露出するプラグボディ５４の前半部によって、プラグＰのソケットＳに対する挿入部７６を形成すると共に、プラグボディ６４の前端面左右側端部から前方に略載頭角錐形状の挿入ガイド７７を突出形成し、ソケットＳに対する挿入部７６の挿入を容易にする。
【００３８】
プラグボディ５４の左右側端面には、この後端から前端近傍にわたってバネ収容溝７８を形成すると共に、左右のバネ収容溝７８の前壁上部から後方に短く係止片７９を突出形成し、左右のバネ収容溝７８の前端部を袋型に形成する。他方左右のバネ収容溝７８の後端部は、ケース後側壁５９を貫通させてプラグボディ５４の後面に開放すると共に、上下の溝壁に薄いバネ取付け溝７８ａを対向形成する。
そして、左右のロックバネ５３は、金属製の板バネ材で構成され、表裏面が左右に向く縦姿勢で使用されるもので、幅広の基部５３ａと、基部５３ａから左又は右斜め前方へ延出する左右に弾性変位自在なバネアーム５３ｂと、バネアーム５３ａの先端部（自由端部）に形成する山形の係合突起５３ｃと、係合突起５３ｃの端部からさらに前方に延出する係止端片５３ｄとを有する。左右のロックバネ５３は、プラグボディ５４の後方から左右のバネ収容溝７８に挿入され、最先端の係止端片５３ｄが係止片７９の内面に係止され、後端の基部５３ａの上下側縁がバネ取付け溝７８ａに圧入されて、この基部５３ａがバネ収容溝７８の後端部溝底に固定され、バネアーム５３ｂがバネ取付け溝７８ａに収容保持され、係合突起５３ｃがバネ収容溝７８の前端部から挿入部７６の前部左右側端面に退入自在に突出され、係合突起５３ｃによって、ソケットＳ側のロック部材の係合部に係脱自在に係合させる係合部が形成される。
【００３９】
プラグボディ５４の挿入部７６には、ソケットＳ側の凸状キー３５とで誤挿入防止機構を構成するプラグＰ側の凹状キー８０を設ける。凹状キー８０は、挿入部７６の裏面左右側部に前後方向に平行に形成され、前端を挿入部７６の前端面に開放する。この凹状キー８０によってプラグボディ５４に方向性を持たせ、各可動接点部５１ｄを露出させる挿入部７６の表面がソケットＳ側の接触端子１の配設壁面に対向する正規挿入姿勢でのみ、ソケットＳ側の凸状キー３５に挿入部７６の裏面の凹状キー８０を対向させ、挿入部７６のプラグ挿入口８からプラグ挿入空間９への挿入を許容する。
【００４０】
シャッター機構５２は、プラグボディ５４に前後方向に摺動自在に支持し、挿入部７６の表面側を覆う前進位置とケース５６に収容する後退位置との間で摺動させるスライド式のシャッター８１と、下ケース５５とシャッター８１との間に配設し、シャッター８１を前進位置に付勢するコイルバネ８２とで構成される。
【００４１】
シャッター８１は樹脂製であり、シャッター収容空間７５の横幅及び前後幅（奥行き）と略同じ横幅及び前後幅を有する薄肉の矩形板状に形成される。またシャッター８１の左右側縁には左右の側板８３を垂下形成し、左右の側板８３と左右のケース内側板６０の間に第１のシャッターガイドを構成する。第１のシャッターガイドは、左右の側板８３の外側面に前後方向に形成するガイド溝８４と、左右のケース内側板６０の内側面に前後方向に突出形成するガイドレール８５とで構成され、シャッター８１をプラグボディ５４の表面側で下ケース５５の上端（シャッター収容空間７５の上端）と同じ高さに支持し、この高さでシャッター８１をプラグボディ５４に対して前後方向に摺動自在に支持する。
左右の側板８３の前端部には、プラグボディ５４の裏面に回込ませるＬ形の足部８６を垂下形成する。他方プラグボディ５４の裏面左右側縁部には、この前端から左右のケース底板６１までに、相対する左右の足部８６を摺動自在に係合させ、かつ、足部８６の厚みを吸収する凹条８７を形成する。これら左右の足部８６と左右の凹条８７とで、シャッター８１によってプラグボディ５４を抱き込みながら、シャッター８１をプラグボディ５４に対して前後方向に摺動自在に支持する。第２のシャッターガイドを構成する。
左右の足部８６は、シャッター８１が挿入部７６の表面側を覆う前進位置に摺動した時、即ち、プラグＰの挿入部７６がソケットＳに挿入されていない時、挿入部７６の前部左右側端面に突出する係合突起５３ｃの外側に移動し、この係合突起５３ｃを覆うカバーの役目を果たす。
シャッター８１内部の左右の上角部には、下面をプラグボディ５４の表面左右側部に摺接させる角形のバネ座８８を形成し、左右のバネ座８８とプラグボディ５４の間に第３のシャッターガイドを構成する。第３のシャッターガイドは、左右のバネ座８８の下面に前後方向に形成するガイド溝８９と、プラグボディ５４の凸部５８より外側の表面左右側部に前後方向に突出形成するガイドレール９０とで構成され、第１のシャッターガイドと同様に、シャッター８１をプラグボディ５４の表面側で下ケース５５の上端（シャッター収容空間７５の上端）と同じ高さに支持し、この高さでシャッター８１をプラグボディ５４に対して前後方向に摺動自在に支持する。
このようにシャッター８１は、第１乃至第３のシャッターガイドによって、プラグボディ５４にのみ直接摺動自在に支持する。
【００４２】
シャッター８１の前端縁に前側板９１を垂下形成し、シャッター８１が前進位置に摺動した時、シャッター８１とこの左右の側板８３及び前側板９１とによって、挿入部７６の表面に露出する各可動接点部５１ｄ群を上方及び左右側方及び前方から覆い、各可動接点部５１ｄ群をシャッター８１の内側に収容する。
前側板９１の左右側部を除く各可動接点部５１ｄの配設幅に相当する中間部には、各可動接点部５１ｄを通過させるための可動接片通過溝９２を左右横方向に並列に形成する。これによて、前側板９１の中間部は櫛状に形成される。
【００４３】
左右のバネ座８８の後端面には、コイルバネ８２の内径より若干小さい直径を有する丸棒状のバネ保持棒９３を後方に向けて突出形成し、他方左右のバネ座８８の後端面に対向するケース後側壁５９の左右側部には、コイルバネ８２の外径より若干大きい直径を有する円形のバネ嵌合溝９４を形成し、左右のバネ保持棒９３にそれぞれコイルバネ８２を遊嵌した状態で、各コイルバネ８２の前端をバネ座８８の後端面に当接支持させ、他方各コイルバネ８２の後端部をバネ嵌合溝９４に嵌合させてこの溝底に当接支持させ、下ケース５５の左右側部とシャッター８１の左右側部との間に２本のコイルバネ８２を張設し、シャッター８１を前進位置（前方）に付勢する。
また、シャッター８１の後端左右端部から後方に突出形成する突片９５を設け、左右の突片９５の後端に係合片９６を上向きに突出形成し、この左右の係合片９６を上ケース５７の左右の係合孔７０に摺動自在に嵌合させると共に、ケース後側壁５９の上面左右端部に、左右の突片９５をこの厚みと長さを吸収して嵌合させる突片嵌合溝９７を形成する。
【００４４】
上記のように構成されたスライド式のシャッター機構５２は、プラグボディ５４の前後長の半分の前後長のシャッター８１を、左右のコイルバネ８２の前方への付勢力と、左右の係合片９６と係合孔７０の前端縁との係合によって、プラグボディ５４の後半部に形成されたケース５６の前端とシャッター８１の後端とが一致する（ケース５６の前端部とシャッター８１の後端部が重ならない）前進位置にてプラグボディ５４に位置保持し、プラグボディ５４の前半部に形成された挿入部７６全体を覆う。他方シャッター８１は、この前端がプラグボディ５４の後半部に形成されたケース５６の前端と一致する（ケース５６の前端からシャッター８１の前端が突出しない）後退位置に摺動し、プラグボディ５４の前後長の半分の前後長のケース５６に完全に収容できる。これによって、スライド式シャッター機構５２を備えるプラグＰの小型化を図ることができる。
【００４５】
そして、上記のように複数本の接触端子５１と、左右のロックバネ５３を組付けたプラグボディ５４に、シャッター８１及び２本のコイルバネ８２を組付けた後（シャッター機構５２を組付けた後）、下ケース５５に上ケース５５を装着する。これによって、シールドフレームが未装着のプラグＰが組立てられ、このプラグＰは、プラグボディ５４にスライド式のシャッター８１を備えたシャッター付きとなる。シャッター付きのプラグＰは、挿入部７６がソケットＳに挿入されていない時、その挿入部７６の表面側をシャッター８１によって覆っており、その挿入部７６の表面に露出する可動接点部５１ｄに塵埃が付着するのを防ぎ、この付着による接触や短絡を未然に防止する。防塵機能を発揮する。
【００４６】
また、シールドフレームが装着され、製品状態に組立てられたプラグＰは、この実装基板の表面所定位置に位置決めピン６２を介してプラグボディ５４の裏面を接合させ、プラグボディ５４の後部外側に突出する固定接点部５１ｅを、基板の端子接触パターンに半田固定し、プラグＰの各接触端子５１を基板の端子接触パターンに電気的に接続させると共に、シールドフレームの左右の足部を基板のグランドパターンにかしめ部材や締結部材によって圧着固定し、シールドフレームを基板のグランドパターンに電気的に接続させた状態で、基板に実装する。
【００４７】
次に、電気的に接続しようとする一方の基板に実装されたソケットＳと、他方の基板に実装されたプラグＰとの嵌合について説明する。
ソケットＳとプラグＰの嵌合に際し、まず、各基板のソケットＳの実装面とプラグＰの実装面とを対向させ、プラグＰを、シャッター８１によって覆われている挿入部７６の表面が、ソケットＳの接触端子１の配設壁面と対向する正規挿入姿勢にする。この正規挿入姿勢で挿入部７６の前端面を、シャッター１５によって閉じられているプラグ挿入口８に対向させ（この時、プラグＰのシャッター８１の前端面がソケットＳのプラグ挿入口８の周囲前側面に対向する。）、挿入部７６をプラグ挿入口８に挿入することによって、挿入部７６に形成された凹状キー８０にプラグ挿入口８に形成された凸状キー３５が嵌合し、挿入部７６をプラグ挿入口８からプラグ挿入空間９へと挿入することができる。
【００４８】
ここで、プラグＰのシャッター８１によって覆われていない挿入部７６の裏面が、ソケットＳの接触端子１の配設壁面と対向する表裏逆の正規挿入姿勢以外の姿勢で、挿入部７６をプラグ挿入口８に誤って挿入しようとした場合には、凹状キー８０に凸状キー３５は嵌合せず、凹状キー８０以外の挿入部７６の前端面がプラグ挿入口８を閉じているシャッター１５の表面に露出する凸状キー３５の前端面、即ち、係合面３８と干渉し、正規挿入姿勢以外の姿勢での挿入部７６の誤挿入を、その挿入部７６がプラグ挿入口８からプラグ挿入空間９に挿入される前に防止する。プラグ誤挿入防止機能を発揮する。
【００４９】
そして、プラグＰの挿入部７６が正規挿入姿勢でソケットＳのプラグ挿入口８からプラグ挿入空間９に挿入されると、この挿入に追従して、プラグＰのシャッター８１は、前端面がソケットＳのプラグ挿入口８の周囲前側面によって押圧されるため、コイルバネ８２に抗して前進位置から後退位置に摺動し、プラグＰの後半部のケース５６に収容され、挿入部７６の表面側を開放し、各可動接点部５１ｄを露出させる。他方ソケットＳのシャッター１５は、挿入部７６の前端面によって内側に押圧されるため、ねじりコイルバネ１７に抗して開位置からシャッター軸１６を中心に揺動しながら挿入部７６の裏面に乗上げた状態で閉位置に開動する。
【００５０】
また、挿入部７６の前端左右端部の挿入ガイド７７がソケットボディ４の後側壁の左右側部に形成された開口４８に突入し、左右の挿入ガイド７７の間の挿入部７６の前端面がソケットボディ４の後側壁の内面に突当たるまで、挿入部７６がプラグ挿入空間９に挿入され、挿入部７６がソケットボディ４に完全に嵌合されると、プラグＰの各接触端子５１の各可動接点部５１ｄがソケットＳの各接触端子１に圧着接触すると共に、プラグＰ側のロックバネ５３の係合突起５３ｃがソケットＳ側のロック端子３の係合孔１４に係合し、挿入部７６の抜止めを図る。プラグＰとソケットＳを嵌合状態で結合するロック機能を発揮する。
【００５１】
このように、プラグＰとソケットＳを嵌合状態で結合することによって、プラグＰの各接触端子５１とソケットＳの各接触端子１とを電気的に接続し、かつ、その接続状態を維持する。これによって、プラグＰの実装基板とソケットＳの実装基板とを電気的に接続し、かつ、その接続状態を維持する。またロック機能によって、不用意にプラグＰとソケットＳが離脱して、両者間の電気接続状態が遮断されるのを防ぐ。
【００５２】
以上から明らかなように、本実施形態のソケットＳは、プラグ挿入口８にシャッター１５を備えており、シャッター１５の縁部に、そのシャッター１５がプラグ挿入口８を閉じている時、プラグ挿入口８の縁部との間に部分的に隙間を形成するキー溝３４を設け、プラグＰが正規挿入姿勢でプラグ挿入口８から挿入された時、プラグＰ側の凹状キー８０に嵌合する凸状キー３５を、プラグ挿入口８の縁部からキー溝３４内に張出して設け、シャッター１５の表面に略面一に露出させる凸状キー３５の端面３８によって、プラグＰの正規挿入姿勢以外の姿勢での誤挿入を防止する。これによって、シャッター８による防塵機能を損なうこなく、プラグＰの誤挿入を、そのプラグＰがプラグ挿入口８から挿入される前に防止できるため、プラグＰ誤挿入時に、シャッター１５を無駄に開閉させたり、プラグＰ側の端子５１とソケットＳ側の端子１とを無駄に接触させるのを防止できる。
【００５３】
また、シャッター１５は、プラグ挿入口８を形成するソケットボディ４に、シャッター軸１６によって揺動自在に軸支し、シャッター軸１６を中心にプラグ挿入口８を閉じる閉位置とプラグ挿入口８を開く開位置との間で揺動すると共に、シャッター１５とソケットボディ４との間に設ける弾性部材１７によって閉位置に付勢する。揺動式に構成する。揺動式シャッター１５はスライド式シャッターに比べて、プラグＰ抜去後の閉位置への復帰動作に対する信頼性が高く、シャッター１５による防塵機能を確実に発揮できる。
また、シャッター１５は、プラグＰが正規挿入姿勢でプラグ挿入口８から挿入された時、プラグＰ側の端子５１を接触させる端子１を配設するソケットボディ４の端子配設壁面が対向する壁面と、プラグＰとの間に形成される隙間に、揺動してプラグ挿入口８を開く。これによって、プラグＰ挿入時、その初期においてシャッター１５が開位置に揺動してプラグＰに乗上げるため、これ以降のプラグＰ挿入からプラグＰ抜去まで、シャッター１５がプラグＰを抜去方向に押すことはなく、またプラグＰの必要抜止め力も小さくできることも手伝って、プラグＰ挿入力の低減を図る。しかも、プラグＰ挿入時、シャッター１５がプラグＰを、プラグＰ側の端子５１とソケットＳ側の端子１を圧着させる方向に押すため、両端子５１，１の接触信頼性も高める。
また、シャッター１５は、プラグＰが正規挿入姿勢でプラグ挿入口８から挿入された時、プラグＰ側の端子５１を接触させる端子１を配設するソケットボディ４の端子配設壁面が対向する壁面と、プラグＰとの間に形成される隙間と、略同じ厚みを有する。これによって、プラグＰ挿入時、そのプラグＰに乗上げて開位置に揺動したシャッター１５が、ソケットボディ４の端子配備壁面からのプラグＰの浮上がりを防ぐため、プラグＰ側の端子５１とソケットＳ側の端子１の接触信頼性を高める。
また、弾性部材としてねじりコイルバネ１７を設け、そのねじりコイルバネ１７のコイル部をシャッター軸１６上に嵌合配設して、一端をシャッター１５内面に当接支持させ、他端をソケットボディ４の端子配設壁面に対向する壁面に当接支持させ、ソケットボディ４には、ねじりコイルバネ１７のコイル部に相当する部分に切欠き部３１を設ける。これによって、シャッター軸１６をソケットボディ４の角部に近づけて配設しても、そのシャッター軸１６上に嵌合配設するねじりコイルバネ１７のコイル部とソケットボディ４との接触を、切欠き部３１によって防ぐため、ソケットＳの大きさを損なわずに、シャッター１５の動作性を高める。
また、弾性部材としてねじりコイルバネ１７を設け、そのねじりコイルバネ１７のコイル部をシャッター軸１６上で、その軸方向略中央部に嵌合配設して、一端をシャッター１５内面に当接支持させ、他端をソケットボディ４の端子配設壁面に対向する壁面に当接支持させ、シャッター軸１６を挿通させるソケットボディ４側の軸受部２９とシャッター１５側の軸受部２０のうち、ねじりコイルバネ１７のコイル部より軸方向外側にシャッター１５側の軸受部２０を設け、そのシャッター１５側の軸受部２０よりさらに軸方向外側にソケットボディ４側の軸受部２９を設け、シャッター１５側の軸受部２０とソケットボディ４側の軸受部２９との間に凸状キー３５を配設し、その凸状キー３５を、シャッター軸１６の軸方向から見てシャッター軸１６を中心とする円弧を有する扇形に形成し、シャッター１５の表面に略面一に露出させる凸状キー３５の端面３８を、ソケットボディ４の端子配備壁面に対向する壁面に連設する。これによって、凸状キー３５が、シャッター１５が閉位置と開位置の間を揺動する時のガイドレールの役目を果たすため、構造を簡潔にしながら、シャッター１５の動作性を高める。
【００５４】
シャッター１５は、樹脂製のシャッター本体１８とそのシャッター本体１８の表面を覆う金属製のシャッターカバー１９とで構成し、シャッターカバー１９を、ソケットボディ４を覆う金属製のフレーム５に、シャッター１５が閉位置にある時、部分的に接触させる。これによって、静電破壊防止機能を備えたシャッター１５に構成する。
また、シャッターカバー１９に、シャッター本体１８の先端左右側部から突出する左右接片部２７を設け、その左右接片部２７をフレーム５に接触係合させて、シャッター１５を閉位置に支持する。これによって、左右接片部２７が、シャッター１５閉動時のストッパーの役目を果たすため、構造を簡潔にできる。
また、シャッターカバー１９に、シャッター本体１８の基端中央部から突出する中央接片部２８を設け、シャッター１５が閉位置にある時、中央接片部２８をフレーム５に接触係合させる。これによっても、中央接片部２８が、シャッター１５閉動時のストッパーの役目を果たすため、構造を簡潔にできる。
また、シャッターカバー１９に、左右接片部２７と中央接片部２８の両方を設け、三角形の位置関係に配設される左右及び中央の接片部２７，２８によってシャッターカバー１９をフレーム５に接触係合させて、シャッター１５を閉位置に支持する。これによって、シャッター１５を閉位置に付勢する弾性部材としてねじりコイルバネ１７を備え、シャッター１５の中央部にバネ力を付勢し難い場合でも、左右接片部２７及び中央接片部２８の三点支持にてシャッター１５を閉位置に安定支持できる。
また、ソケットボディ４の端子配設壁面に、シャッター１５の開閉時、左右接片部２７を通過させる接片通過溝３２を、プラグＰ挿抜方向に設けると共に、その接片通過溝３２を、フレーム５によって覆われているプラグ挿入口８の縁部を部分的に凹めるように、ソケットボディ４の端面に開放し、接片通過溝３２の開放端を閉鎖している部分のフレーム３３に左右接片部２７を接触係合させて、シャッター１５を閉位置に支持する。これによって、左右接片部２７に対する接触係合部３３の周りのフレーム５裏面をソケットボディ４の端面に接合させているため、その接触係合部３３が挿入プラグＰとの干渉等によって傾くのを防ぎ、シャッター１５を一定の閉位置及び閉姿勢で支持できる。
【００５５】
ソケットボディ４に、プラグＰ側の係合突起５３ｃを係脱自在に係合させる係合部１４を形成するロック部材３を設け、プラグＰ挿入時、プラグＰの抜止めを行い、両者を嵌合状態で結合させるロック機構を構成する。
また、ロック部材３は金属板片で構成する。これによって、プラグＰ側の係合突起５３ｃを金属製板バネ５３の自由端部に形成した場合でも、その係合突起５３ｃに対する係合部１４を樹脂によって形成するのに対し、耐磨耗性を向上できる。
また、ロック部材３は、ソケットボディ４の端子配設壁面の両端に、プラグＰ挿抜方向に沿って立設する側壁の内側に配設し、プラグＰ側の端子５１とソケットボディ４の端子１との圧着方向と直交する方向で係合突起５３ｃを係脱させる。これによって、プラグＰ側の係合突起５３ｃを板バネ５３の自由端部に形成した場合でも、係合部１４との係合によってプラグＰ側の端子５１とソケットＳ側の端子１の圧着が弱められるのを防ぐため、両端子５１，１の接触信頼性を高める。またロック部材３が、ソケットボディ４に金属製の側壁を構成し、シャッター軸１６が、ソケットボディ４の側壁の間に金属製の梁を構成するため、ソケットボディ４の薄肉化による小型化を図る。
【００５６】
他方本実施形態のプラグＰは、複数の端子５１を並列に配設し、各端子５１の接点部５１ｄを前部上面から突出させる矩形板状のプラグボディ５４と、プラグボディ５４の後部に一体形成する下ケース５５とプラグボディ５４と別体に設ける上ケース５７とで形成する前側面を開放した直方形状のケース５６と、プラグボディ５４に前後方向に摺動自在に支持し、ケース５６から前方へ突出するプラグボディ５４前部のソケットＳに対する挿入部７６を覆う前進位置とプラグボディ５４後部のケース５６に収容する後退位置との間で摺動させるシャッター８１と、プラグボディ５４後部の下ケース５５とシャッター８１との間に配設し、シャッター８１を前進位置に付勢するコイルバネ８２とを備える。これによって、シャッター８１を、端子５１を配設するプラグボディ５４に直接摺動自在に支持するため、プラグボディ５４と別体の上ケース５７に挿入部７６を形成する必要がなくなり、プラグＰのソケットＳに対する挿入部７６の厚みを損なうことなく、引いては、ソケットＳの高さも損なうことなく、プラグＰに、その接点部５１ｄの防塵用シャッター８１を備えることができる。この結果、一対のプラグＰとソケットＳの両者の小型低背化を実現できる。
【００５７】
また、プラグボディ５４の左右側端面に形成する収容溝７８に金属製板バネで構成するロック部材５３を収容し、このロック部材５３の自由端部に、挿入部７６がソケットＳに挿入された時、ソケットＳ側の係合部１４に係脱自在に係合させる係合突起５３ｃを形成する。これによって、挿入部７６の抜止めを行い、プラグＰとソケットＳを嵌合状態で結合させるロック機構を構成する。
【００５８】
また、プラグボディ５４の裏面に、挿入部７６が正規挿入姿勢でソケットＳに挿入された時、ソケットＳ側の凸状キー３５に嵌合する凹状キー８０を設ける。これによって、挿入部７６が正規挿入姿勢以外の姿勢でソケットＳに誤挿入される時、挿入部７６の凹状キー８０以外の端面とソケットＳ側の凸状キー３５とを干渉させ、挿入部７６の正規挿入姿勢以外での誤挿入を防止する誤挿入防止機構を構成する。
【００５９】
また、複数の端子５１のうち、一部の端子５１についてその接点部５１ｄの位置を他の端子５１の接点部５１ｄと異ならせる。これによって、プラグＰとソケットＳの嵌合時の接触タイミングを発生させ（電気的にタイミングを取り）、プラグＰとソケットＳの嵌合を電気的に検知することが可能となる。
【図面の簡単な説明】
【００６０】
【図１】一対のソケットとプラグの嵌合状態を示す側面図
【図２】図１の正面図
【図３】図２のＡ−Ａ断面図
【図４】図２のＢ−Ｂ断面図
【図５】図２のＣ−Ｃ断面図
【図６】ソケットの組立状態を示すシャッター閉状態の外観斜視図
【図７】図６のシャッター開状態の外観斜視図
【図８】図６の底面図
【図９】図６の背面図
【図１０】図６の断面側面図
【図１１】ソケットの分解状態を示す外観斜視図
【図１２】ソケットボディの中央断面側面図
【図１３】ソケットボディの接片通過溝部の断面側面図
【図１４】ソケットボディのロック端子取付け溝部の断面側面図
【図１５】ソケットボディのシャッター軸軸受部の断面正面図
【図１６】ソケットボディの断面平面図
【図１７】シールドフレームの底面図
【図１８】シールドフレームの中央断面側面図
【図１９】シールドフレームの部分拡大背面図
【図２０】シャッター本体の平面図
【図２１】シャッター本体の背面図
【図２２】シャッター本体の側面図
【図２３】シャッター本体の断面正面図
【図２４】シャッター本体のバネ係止溝部の断面側面図
【図２５】シャッターカバーの背面図
【図２６】シャッターカバーの掛止部の断面側面図
【図２７】プラグの組立状態を示すシャッター閉状態の外観斜視図
【図２８】図２７のシャッター開状態の外観斜視図
【図２９】図２７の底面図
【図３０】図２７の背面図
【図３１】プラグの分解状態を示す外観斜視図
【図３２】プラグボディの中央断面側面図
【図３３】プラグボディのバネ収容溝部の断面側面図
【図３４】プラグボディの下ケースの断面側面図
【図３５】プラグボディの断面平面図
【図３６】上ケースの底面図
【図３７】上ケースの背面図
【図３８】上ケースの中央断面側面図
【図３９】上ケースの係合孔部の断面側面図
【図４０】シャッターの底面図
【図４１】シャッターの背面図
【図４２】シャッターの中央断面側面図
【図４３】シャッターのバネ保持部の断面側面図
【図４４】シャッターの第１ガイド部の断面側面図
【符号の説明】
【００６１】
Ｓ  ソケット  （ソケット型のコネクタ）
１  接触端子
２  シャッター機構
３  ロック端子
４  ソケットボディ
５  シールドフレーム
８  プラグ挿入口
９  プラグ挿入空間
１４  係合孔（係合部）
１５  シャッター
１６  シャッター軸
１７  ねじりコイルバネ
１８  シャッター本体
１９  シャッターカバー
２０  軸受部
２７  左右接片部
２８  中央接片部
２９  軸受部
３１  切欠き部
３２  接片通過溝
３３  接触部
３４  キー溝
３５  凸状キー
３８  係合面
Ｐ  プラグ（プラグ型のコネクタ）
５１  接触端子
５１ｄ  可動接点部
５２  シャッター機構
５３  ロックバネ
５３ｃ  係合突起
５４  プラグボディ
５５  下ケース
５６  ケース
５７  上ケース
７５  シャッター収容空間
７６  挿入部
７８  バネ収容溝
８０  凹状キー
８１  シャッター
８２  コイルバネ
【図１】
2005108596.tif 000003
【図２】
2005108596.tif 000004
【図３】
2005108596.tif 000005
【図４】
2005108596.tif 000006
【図５】
2005108596.tif 000007
【図６】
2005108596.tif 000008
【図７】
2005108596.tif 000009
【図８】
2005108596.tif 000010
【図９】
2005108596.tif 000011
【図１０】
2005108596.tif 000012
【図１１】
2005108596.tif 000013
【図１２】
2005108596.tif 000014
【図１３】
2005108596.tif 000015
【図１４】
2005108596.tif 000016
【図１５】
2005108596.tif 000017
【図１６】
2005108596.tif 000018
【図１７】
2005108596.tif 000019
【図１８】
2005108596.tif 000020
【図１９】
2005108596.tif 000021
【図２０】
2005108596.tif 000022
【図２１】
2005108596.tif 000023
【図２２】
2005108596.tif 000024
【図２３】
2005108596.tif 000025
【図２４】
2005108596.tif 000026
【図２５】
2005108596.tif 000027
【図２６】
2005108596.tif 000028
【図２７】
2005108596.tif 000029
【図２８】
2005108596.tif 000030
【図２９】
2005108596.tif 000031
【図３０】
2005108596.tif 000032
【図３１】
2005108596.tif 000033
【図３２】
2005108596.tif 000034
【図３３】
2005108596.tif 000035
【図３４】
2005108596.tif 000036
【図３５】
2005108596.tif 000037
【図３６】
2005108596.tif 000038
【図３７】
2005108596.tif 000039
【図３８】
2005108596.tif 000040
【図３９】
2005108596.tif 000041
【図４０】
2005108596.tif 000042
【図４１】
2005108596.tif 000043
【図４２】
2005108596.tif 000044
【図４３】
2005108596.tif 000045
【図４４】
2005108596.tif 000046